(57)【特許請求の範囲】
【請求項１】
アプリケータ取付板の縁部に対して直交方向に接離可能にホルダに収容され、前記縁部に、後部に設けられたばねにより前端を前記アプリケータ取付板に圧接して移動を阻止する固定爪と、前記ホルダに形成され、前記固定爪の移動方向に沿うロック用孔から外方に突出するように該固定爪に設けられた操作ピンとを備えたワイヤハーネス製造用圧着機のアプリケータ固定構造であって、
前記操作ピンは、前記固定爪に摺動自在に取り付けられると共に、ばねにより前記ロック用孔から突出する方向に付勢されており、かつ前記固定爪が前記アプリケータ取付板から後退した位置において、前記ロック用孔に沿って上昇し、該ロック用孔で前進不能に係止されて前記固定爪を後退位置にロックするように構成されていることを特徴とするワイヤハーネス製造用圧着機のアプリケータ固定構造。
【請求項２】
前記ロック用孔は、アプリケータ取付板に対して近い前部に長孔、遠い後部に該長孔の幅より大きい直径の大径孔が連接された形状であり、前記操作ピンは、最下部に前記大径孔より大きい直径の台部が、その上に前記長孔より大きく前記大径孔より小さい直径の中間段部が形成され、前記中間段部が前記大径孔に嵌まった位置で前記固定爪を後退位置にロックするように構成されていることを特徴とする請求項１記載のワイヤハーネス製造用圧着機のアプリケータ固定構造。
【請求項３】
前記ホルダに、前記固定爪の移動方向に対して直交する方向にねじ込まれ、先端部に前記固定爪の後面に形成されたテーパ面に当接する円錐面が形成され、該円錐面をテーパ面に押しつけて前記固定爪を前記アプリケータ取付板に対して押圧する固定ねじを備えたことを特徴とする請求項１または２記載のワイヤハーネス製造用圧着機のアプリケータ固定構造。
【発明の詳細な説明】
【０００１】
【発明の属する技術分野】
本発明は、ワイヤハーネス製造用圧着機のアプリケータ固定構造に関し、詳しくは、電線に端子を加締るための圧着機に対して圧着用のアプリケータを精度よく固定するためのアプリケータ固定構造に関するものである。
【０００２】
【従来の技術】
図６および図７に、従来のアプリケータ固定構造の例を示している。アプリケータ４を取り付けたアプリケータ取付板３は、左端縁がガイドプレート１０に摺動自在に嵌まり、右端縁は、ホルダ１１の内面に沿って摺動するようになっている。そして、アプリケータ取付板３の右端縁の角部に係止溝１３が形成されている。
【０００３】
図６（ｂ）に示すように、前記ホルダ１１内には固定爪１７が摺動自在に収容され、後部に設けられたばね２０によりアプリケータ取付板３方向に付勢されている。この固定爪１７の先端にアプリケータ取付板３に当接する下向きのテーパ面１８が形成され、上面にはホルダ１１の長孔３１から突出する操作ピン３０が固着されている。
【０００４】
図６は、アプリケータ取付板３の固定時の状態であって、固定爪１７は、ばね２０によりアプリケータ取付板３の方向に押され、固定爪１７のテーパ面１８がアプリケータ取付板３の係止溝１３に押圧されている。
【０００５】
アプリケータ４の離脱時は、図７（ａ），（ｂ）に示すように、操作ピン３０を持って固定爪１７をアプリケータ取付板３から後退させて係止溝１３から外して固定解除し、アプリケータ取付板３をスライドさせてアプリケータ４の離脱を行う。
【０００６】
【発明が解決しようとする課題】
上記のような従来のアプリケータ固定構造では、アプリケータ離脱時に固定爪１７を後退させるが、この後退位置で固定爪１７をロックする手段がないため、図７の後退位置で操作ピン３０を手で押さえた状態でアプリケータ取付板３の離脱操作をしなければならず、アプリケータ４の離脱操作に手間がかかるという問題がある。
【０００７】
また、アプリケータ取付板３の固定は、ばね２０のみの力に頼っているため、固定力が弱く、図６の状態で圧着機を動作させて端子加締めの作業を行った場合、ばね２０の力がアプリケータ取付板３の上下の振動に耐えられず、図８に示すように、固定爪１７が後退してしまい、アプリケータ取付板３にがたつきが生ずるという問題もある。
【０００８】
本発明は、上述の点に着目してなされたもので、操作ピンのロックより固定爪を後退位置に保持し、アプリケータの離脱作業の効率化を図ると共に、アプリケータ取付板のがたつきをなくしたワイヤハーネス製造用圧着機のアプリケータ固定構造を提供することを目的としている。
【０００９】
【課題を解決するための手段】
前記目的を達成するため、請求項１記載の発明は、アプリケータ取付板の縁部に対して直交方向に接離可能にホルダに収容され、前記縁部に後部に設けられたばねにより前端を前記アプリケータ取付板に圧接して移動を阻止する固定爪と、前記ホルダに形成され、前記固定爪の移動方向に沿うロック用孔から外方に突出するように該固定爪に設けられた操作ピンを備えたワイヤハーネス製造用圧着機のアプリケータ固定構造であって、前記操作ピンは、前記固定爪に摺動自在に取り付けられると共に、ばねにより前記ロック用孔から突出する方向に付勢されており、かつ前記固定爪が前記アプリケータ取付板から後退した位置において、前記ロック用孔に沿って上昇し、該ロック用孔で前進不能に係止されて前記固定爪を後退位置にロックするように構成されていることを特徴とするものである。
【００１０】
このため、請求項１記載の発明では、アプリケータの離脱時に操作ピンを手で押さえておく必要がなくなり、離脱作業が簡単になる。
【００１１】
また、請求項２記載の発明は、請求項１記載のワイヤハーネス製造用圧着機のアプリケータ固定構造であって、前記ロック用孔は、前部に長孔、後部に該長孔の幅より大きい直径の大径孔が連接された形状であり、前記操作ピンは、最下部に前記大径孔より大きい直径の台部が、その上に前記長孔より大きく前記大径孔より小さい直径の中間段部が形成され、前記中間段部が前記大径孔に嵌まった位置で前記固定爪を後退位置にロックするように構成されていることを特徴とするものである。
【００１２】
このため、請求項２記載の発明では、長孔と大径孔が連接されたロック用孔と、台部と中間段部が形成された操作ピンとの構成で、操作ピンを後退させるだけでワンタッチで操作ピンをロックすることができる。
【００１３】
また、請求項３記載の発明は、請求項１または２記載のワイヤハーネス製造用圧着機のアプリケータ固定構造であって、前記ホルダに、前記固定爪の移動方向に対して直交する方向にねじ込まれ、先端部に前記固定爪の後面に形成されたテーパ面に当接する円錐面が形成され、該円錐面をテーパ面に押しつけて前記固定爪を前記アプリケータ取付板に対して押圧する固定ねじを備えたことを特徴とするものである。
【００１４】
このため、請求項３記載の発明では、圧着機の動作時のアプリケータ取付板を、がたつきの無い固定状態に維持することができる。
【００１５】
【発明の実施の形態】
以下、本発明の実施の形態を図面に基づいて説明する。なお、図６乃至図８と同一部材または同一機能のものは同一符号で示している。
【００１６】
図１において、圧着機１のボルスタープレート２上にアプリケータ取付板３が図１の紙面の表裏方向に摺動自在に装着され、このアプリケータ取付板３の上部にアプリケータ４が取り付けられている。アプリケータ４には、加締め型５を有し、搬送クランプ５０で搬送されてきた電線に端子を圧着して加締るようになっている。
【００１７】
図１および図２に示すように、アプリケータ取付板３は、左端縁にガイド溝７が形成され、このガイド溝７がボルスタープレート２に固着されたガイドプレート１０に摺動自在に嵌まっている。また、アプリケータ取付板３の右端縁は、ボルスタープレート２に固着されたホルダ１１に規制され、ホルダ１１の内面１１ａに沿って摺動するようになっている。そして、アプリケータ取付板３の右端縁の略中央部の角部に、上向きのテーパ面１２を有する係止溝１３が形成されている。
【００１８】
図３（ａ）に示すように、前記ホルダ１１には、ボルスタープレート２側とアプリケータ取付板３側とが開放された収容部１４が形成され、この収容部１４の上壁部にロック用孔１５が形成されている。このロック用孔１５は、図３（ｂ）に示すように、アプリケータ取付板３に対して近い前部（内側）の長孔１５ａと、遠い後部（外側）の大径孔１５ｂとが連接された形状である。
【００１９】
前記収容部１４には、固定爪１７が摺動自在に収容されている。この固定爪１７は、先端にアプリケータ取付板３のテーパ面１２に当接する下向きのテーパ面１８が形成され、中間には上下方向の円形貫通孔１９が形成されている。固定爪１７は、後部に設けられたばね２０によりアプリケータ取付板３方向に付勢されている。
【００２０】
固定爪１７の円形貫通孔１９には、操作ピン１６の最下部に形成された円柱形の台部（直径Ｒａ、図５参照）１６ａが摺動自在に嵌め込まれ、操作ピン１６の上部は、ロック用孔１５から上部に突出している。台部１６ａの上には、円柱形の中間段部（直径Ｒｂ、図５参照）１６ｂが形成されている。台部１６ａには、摺動子２１が挿入された孔２２が形成され、この孔２２に収容されたコイルばね２３により摺動子２１をボルスタープレート２上に押しつけ、これにより、操作ピン１６を上向きに付勢している。
【００２１】
前記操作ピン１６とロック用孔１５の寸法関係は、以下のように構成されている（図５参照）。すなわち、長孔１５ａの幅をＴａ、大径孔１５ｂの直径をＴｂとすると、Ｔａ＜Ｔｂ、Ｒａ＞Ｔｂ、Ｔａ＜Ｒｂ＜Ｔｂとなるように構成されている。
【００２２】
ホルダ１１には、先端に円錐面２５ａを有する固定ねじ２５が取り付けられており、この固定ねじ２５をねじ込むと、円錐面２５ａが固定爪１７の後面のテーパ１７ａに当接して固定爪１７をアプリケータ取付板３の方向に付勢し、テーパ面１８をアプリケータ取付板３のテーパ面１３に強く押圧してがたつきを生じないようにしている。
【００２３】
次に、上記実施の形態のアプリケータ固定構造の動作を説明する。
【００２４】
図２および図３は、アプリケータ取付板３の固定時の状態を示している。この状態では、固定爪１７は、ばね２０によりアプリケータ取付板３の方向に押され、固定爪１７のテーパ面１８がアプリケータ取付板３の係止溝１３のテーパ面１２に押圧される。このとき、操作ピン１６の中間段部１６ｂの上面が、ホルダ１１の下面に当接している。さらに、固定ねじ２５をねじ込むことにより、固定爪１７をアプリケータ取付板３に押しつけてアプリケータ取付板３が動かないように固定する。この状態で、圧着機１が動作し、加締め型５（図１参照）で電線に端子を加締る操作が行われる。
【００２５】
アプリケータ４を離脱する場合は、固定ねじ２５を緩めると共に、操作ピン１６をロック用孔１５の長孔１５ａに沿って移動させ、固定爪１７をアプリケータ取付板３から離す方向に後退させる。そして、操作ピン１６が、図５の位置、すなわち、中間段部１６ｂが大径孔１５ｂの位置に来ると、中間段部１６ｂは、大径孔１５ｂに嵌まって上昇し、台部１６ａがホルダ１１の下面に係止され、図５（ａ）の状態となる。このとき中間段部１６ｂは、長孔１５ａには嵌まらない直径（Ｔａ＜Ｒｂ＜Ｔｂ）であるので、図５（ｂ）に示すように、中間段部１６ｂは長孔部１５ｃの入口で係止され、これにより操作ピン１６は、ロック状態になる。このため、固定爪１７は、アプリケータ取付板３から後退した固定解除位置に保持され、アプリケータ取付板３は、フリーになるので、スライドさせて離脱を行うことができる。
【００２６】
新たに、アプリケータ取付板３を装着する際は、ロック状態にある操作ピン１６を押し下げると、ばね２０の力で固定爪１７は前進し、図３の位置、すなわち、操作ピン１６の中間段部１６ｂの上面がホルダ１１の下面に当接した位置で手を離せば、ばね２０の力でアプリケータ取付板３に押圧される。この状態で、固定ねじ２５をねじ込んで固定する。
【００２７】
以上のように、本実施の形態では、固定爪１７が前記アプリケータ取付板３から後退した位置において操作ピン１６がロック用孔１５で前進不能に係止されて固定爪１７を後退位置にロックするように構成しているので、アプリケータ４の離脱時に操作ピン１６を手で押さえておく必要がなくなり、離脱作業が簡単になる。
【００２８】
また、ロック手段も、長孔１５ａと大径孔１５ｂが連接されたロック用孔１５と、大径孔１５ｂより大きい直径の台部１６ａの上に長孔１５ａより大きく大径孔１５ｂより小さい直径の中間段部１６ｂが形成された操作ピン１６とで構成されているので、簡単な構成で、操作ピン１６の後退の操作のみでワンタッチでロックすることができる。
【００２９】
さらにまた、前記ホルダ１１にねじ込まれた固定ねじ３０で固定爪１７の後面を押圧して固定爪１７をアプリケータ取付板３に対して押圧して固定するようにしたので、圧着機の動作時のアプリケータ取付板３を、がたつきの無い固定状態に維持することができる。
【００３０】
【発明の効果】
以上、詳述したように、請求項１記載の発明によれば、固定爪がアプリケータ取付板から後退した位置においてホルダのロック用孔で操作ピンを前進不能に係止して固定爪を後退位置にロックするように構成しているので、アプリケータの離脱時に操作ピンを手で押さえておく必要がなくなり、アプリケータ離脱作業の効率化をはかることができる。
【００３１】
また、請求項２記載の発明によれば、長孔と大径孔が連接されたロック用孔と、台部と中間段部が形成された操作ピンとで固定構造を構成したので、請求項１記載の発明の効果に加えて、ロック用に別部材が不要で簡単に構成でき、かつ、操作ピンを後退操作するのみでワンタッチでロックをすることができる。
【００３２】
また、請求項３記載の発明によれば、固定爪をアプリケータ取付板に対して押圧する固定ねじを設けたので、請求項１または２記載の発明の効果に加えて、圧着機の動作時にアプリケータ取付板を、がたつきの無い固定状態に維持することができる。
【図面の簡単な説明】
【図１】本発明の一実施の形態によるアプリケータ固定構造が設けられた圧着機の概略正面図である。
【図２】図１のＡ方向から見た一部切欠平面図で、アプリケータ固定時の状態を示している。
【図３】アプリケータ固定時の要部の拡大図であって、（ａ）は断面図、（ｂ）は平面図である。
【図４】図１のＡ方向から見た一部切欠平面図で、アプリケータ離脱時の状態を示している。
【図５】アプリケータ離脱時の要部の拡大図であって、（ａ）は断面図、（ｂ）は平面図である。
【図６】従来のアプリケータ固定構造のアプリケータ固定時を示すもので、（ａ）は平面図、（ｂ）は断面図である。
【図７】従来のアプリケータ固定構造のアプリケータ離脱時を示すもので、（ａ）は平面図、（ｂ）は断面図である。
【図８】従来のアプリケータ固定構造の圧着機動作時を示す断面図である。
【符号の説明】
１  圧着機
３  アプリケータ取付板
１１  ホルダ
１５  ロック用孔
１５ａ  長孔
１５ｂ  大径孔
１６  操作ピン
１６ａ  台部
１６ｂ  中間段部
１７  固定爪
１７ａ    テーパ面
２０，２３  ばね
２５  固定ねじ
２５ａ  円錐面
Ｒａ  直径（台部の）
Ｒｂ  直径（中間段部の）
Ｔａ  幅（長孔の）
Ｔｂ  直径（大径孔の）
【図１】
0003647703.tif 000002
【図２】
0003647703.tif 000003
【図３】
0003647703.tif 000004
【図４】
0003647703.tif 000005
【図５】
0003647703.tif 000006
【図６】
0003647703.tif 000007
【図７】
0003647703.tif 000008
【図８】
0003647703.tif 000009